(57)【要約】 【課題】  裏面の布部材が装着の際のつけ心地を害さず、洗っても布部材及びその周辺の損傷が少ないかつらベース、かつら及びかつらの製造方法を提供する。【解決手段】  標章、図柄又は文字が表された表示面３ａを有する布部材３と、布部材３以上のサイズを有する保護ネット４と、ネット状の基布５と、を備え、布部材３は、保護ネット４及び基布５の間に、表示面３ａが基布５に接するように配置されている、かつらを提供する。【選択図】  図１
2018087388.tif 000002
【特許請求の範囲】
【請求項１】
標章、図柄又は文字が表された表示面を有する布部材と、
前記布部材以上のサイズを有する保護ネットと、
ネット状の基布と、を備え、
前記布部材は、前記保護ネット及び前記基布の間に、前記表示面が前記基布に接するように配置されている、ことを特徴とするかつらベース。
【請求項２】
前記保護ネットの前記布部材と接する面の反対側に人工皮膚シートが配置されている、ことを特徴とする請求項１に記載のかつらベース。
【請求項３】
前記保護ネット及び前記人工皮膚シートの間に、更に第２の保護ネットが配置されている、ことを特徴とする請求項２に記載のかつらベース。
【請求項４】
請求項１乃至３のいずれか１項に記載のかつらベースの前記人工皮膚シート又は前記保護ネット側に擬毛が植設されている、ことを特徴とするかつら。
【請求項５】
保護ネット、ネット状の基布、及び標章、図柄又は文字が表された表示面を有し、前記基布及び前記保護ネット以下のサイズを有する布部材を準備する第１の工程と、
前記布部材の前記表示面と反対側の面が前記保護ネットと接するように、前記布部材を前記保護ネットに縫着又は貼着した後、前記基布及び前記保護ネットの外縁部を縫合する第２の工程と、
縫合された前記保護ネット及び前記基布に対して、擬毛を前記保護ネット側から、前記保護ネット及び前記基布の両方、前記保護ネットのみ、並びに前記基布のみの何れかに植設する第３の工程と、を含む、ことを特徴とするかつらの製造方法。
【請求項６】
保護ネット、ネット状の基布、標章、図柄又は文字が表された表示面を有し、前記基布及び前記保護ネット以下のサイズを有する布部材、及び前記保護ネット以上のサイズを有する人工皮膚シートを準備する第１の工程と、
前記布部材の前記表示面と反対側の面が前記保護ネットと接するように、前記布部材を前記保護ネットに縫着又は貼着した後、前記保護ネットの前記布部材が取り付けられた面と反対側の面が前記人工皮膚シートと接するように、前記保護ネットを前記人工皮膚シートに縫着又は貼着し、その後、前記布部材の前記表示面が前記基布側を向くように配置した状態で、前記人工皮膚シート及び前記基布の外縁部を縫着する第２の工程と、
縫合された前記人工皮膚シート及び前記基布に対して、擬毛を前記人工皮膚シート側から、前記人工皮膚シート又は前記基布に植設する第３の工程と、を含む、ことを特徴とするかつらの製造方法。
【請求項７】
保護ネット、ネット状の基布、標章、図柄又は文字が表された表示面を有し、前記基布及び前記保護ネット以下のサイズを有する布部材、並びに前記保護ネット以上のサイズを有する人工皮膚シート及び第２の保護ネットを準備する第１の工程と、
前記人工皮膚シート及び前記第２の保護ネットを縫着又は貼着した後、擬毛を前記人工皮膚シート側から前記第２の保護ネットに植設する第２の工程と、
前記布部材の前記表示面と反対側の面が前記保護ネットと接するように、前記布部材を前記保護ネットに縫着又は貼着した後、前記布部材が間に配置されるように、前記保護ネット及び前記基布の外縁部を縫合する第３の工程と、
第２及び第３の工程の後、前記布部材が間に配置されるように、前記人工皮膚シート及び前記第２の保護ネットの接合体の外縁部と、前記基布の外縁部とを縫合する第４の工程と、を含む、ことを特徴とするかつらの製造方法。
【請求項８】
保護ネット、ネット状の基布、標章、図柄又は文字が表された表示面を有し、前記基布及び前記保護ネット以下のサイズを有する布部材、及び前記保護ネット以上のサイズを有する人工皮膚シートを準備する第１の工程と、
前記人工皮膚シート及び前記保護ネットを縫着又は貼着した後、擬毛を前記人工皮膚シート側から前記保護ネットに植設する第２の工程と、
前記布部材の前記表示面が接するように、前記布部材を前記基布に縫着又は貼着する第３の工程と、
第２及び第３の工程の後、前記布部材が間に配置されるように、前記人工皮膚シート及び前記保護ネットの接合体の外縁部と、前記基布の外縁部とを縫合する第４の工程と、を含む、ことを特徴とするかつらの製造方法。
【発明の詳細な説明】
【技術分野】
【０００１】
本発明は、かつらベース、かつらベースに擬毛を植設したかつら及びそのかつらの製造方法に関する。
【背景技術】
【０００２】
人の頭部に装着するかつらは、通常、かつらベースと称するベース部分に擬毛を植設することによって形成される。このようなかつらの中には、網状のかつらベースに擬毛を植設したものが提案されている（例えば、特許文献１参照）。また、かつらの中には、図柄、文字等が示された布部材（タグ）がかつらベースの裏面側に取り付けられたものが提案されている（例えば、特許文献２の段落００１８、図１参照）。
【先行技術文献】
【特許文献】
【０００３】
【特許文献１】特開２００９−１１４５６７号公報
【特許文献２】特開２０１１−１２７２２８
【発明の概要】
【発明が解決しようとする課題】
【０００４】
しかしながら、特許文献２に記載のかつらにおいて、かつら裏面に配置された布部材が装着者の頭皮に接触して、装着感が低下するという問題があった。また、長く使用すると、布部材の損傷が起きやすいという問題があった。
【０００５】
本発明は、上記の課題を解決するものであり、裏面側に配置された図柄、文字等が示された布部材が装着の際のつけ心地を害さず、長く使用しても布部材の損傷が少ないかつらを提供することを目的とする。
【課題を解決するための手段】
【０００６】
上記の課題を解決するため、本発明の１つの実施態様に係るかつらベースは、
標章、図柄又は文字が表された表示面を有する布部材と、
前記布部材以上のサイズを有する保護ネットと、
ネット状の基布と、を備え、
前記布部材は、前記保護ネット及び前記基布の間に、前記表示面が前記基布に接するように配置されている。
【０００７】
上記の課題を解決するため、本発明の１つの実施態様に係るかつらは、上記のかつらベースの前記人工皮膚シート又は前記保護ネット側に擬毛が植設されている。
【０００８】
上記の課題を解決するため、本発明の１つの実施態様に係るかつらの製造方法は、
保護ネット、ネット状の基布、及び標章、図柄又は文字が表された表示面を有し、前記基布及び前記保護ネット以下のサイズを有する布部材を準備する第１の工程と、
前記布部材の前記表示面と反対側の面が前記保護ネットと接するように、前記布部材を前記保護ネットに縫着又は貼着した後、前記基布及び前記保護ネットの外縁部を縫合する第２の工程と、
縫合された前記保護ネット及び前記基布に対して、擬毛を前記保護ネット側から、前記保護ネット及び前記基布の両方、前記保護ネットのみ、並びに前記基布のみの何れかに植設する第３の工程と、を含む。
【０００９】
上記の課題を解決するため、本発明のその他の実施態様に係るかつらの製造方法は、
保護ネット、ネット状の基布、標章、図柄又は文字が表された表示面を有し、前記基布及び前記保護ネット以下のサイズを有する布部材、及び前記保護ネット以上のサイズを有する人工皮膚シートを準備する第１の工程と、
前記布部材の前記表示面と反対側の面が前記保護ネットと接するように、前記布部材を前記保護ネットに縫着又は貼着した後、前記保護ネットの前記布部材が取り付けられた面と反対側の面が前記人工皮膚シートと接するように、前記保護ネットを前記人工皮膚シートに縫着又は貼着し、その後、前記布部材の前記表示面が前記基布側を向くように配置した状態で、前記人工皮膚シート及び前記基布の外縁部を縫着する第２の工程と、
縫合された前記人工皮膚シート及び前記基布に対して、擬毛を前記人工皮膚シート側から、前記人工皮膚シート又は前記基布に植設する第３の工程と、を含む。
【００１０】
上記の課題を解決するため、本発明のその他の実施態様に係るかつらの製造方法は、
保護ネット、ネット状の基布、標章、図柄又は文字が表された表示面を有し、前記基布及び前記保護ネット以下のサイズを有する布部材、並びに前記保護ネット以上のサイズを有する人工皮膚シート及び第２の保護ネットを準備する第１の工程と、
前記人工皮膚シート及び前記第２の保護ネットを縫着又は貼着した後、擬毛を前記人工皮膚シート側から前記第２の保護ネットに植設する第２の工程と、
前記布部材の前記表示面と反対側の面が前記保護ネットと接するように、前記布部材を前記保護ネットに縫着又は貼着した後、前記布部材が間に配置されるように、前記保護ネット及び前記基布の外縁部を縫合する第３の工程と、
第２及び第３の工程の後、前記布部材が間に配置されるように、前記人工皮膚シート及び前記第２の保護ネットの接合体の外縁部と、前記基布の外縁部とを縫合する第４の工程と、を含む。
【００１１】
上記の課題を解決するため、本発明のその他の実施態様に係るかつらの製造方法は、
保護ネット、ネット状の基布、標章、図柄又は文字が表された表示面を有し、前記基布及び前記保護ネット以下のサイズを有する布部材、及び前記保護ネット以上のサイズを有する人工皮膚シートを準備する第１の工程と、
前記人工皮膚シート及び前記保護ネットを縫着又は貼着した後、擬毛を前記人工皮膚シート側から前記保護ネットに植設する第２の工程と、
前記布部材の前記表示面が接するように、前記布部材を前記基布に縫着又は貼着する第３の工程と、
第２及び第３の工程の後、前記布部材が間に配置されるように、前記人工皮膚シート及び前記保護ネットの接合体の外縁部と、前記基布の外縁部とを縫合する第４の工程と、を含む。
【発明の効果】
【００１２】
以上のように、本発明においては、裏面側に配置された図柄、文字等が示された布部材が装着の際のつけ心地を害さず、長く使用しても布部材及びその周辺の損傷が少ないかつらベース、かつら及びかつらの製造方法を提供することができる。
【図面の簡単な説明】
【００１３】
【図１】本発明の実施態様１に係るかつらの製造方法を示す断面図である。
【図２】図１に示す本発明の実施態様１に係るかつらベースの製造方法を示す上面図である。
【図３】本発明の実施態様２に係るかつらの製造方法を示す断面図である。
【図４】本発明の実施態様３に係るかつらの製造方法を示す断面図である。
【図５】本発明の実施態様４に係るかつらの製造方法を示す断面図である。
【発明の詳細な説明】
【００１４】
始めに、本発明の全般的な説明として、本発明の実施態様に係るかつらベース、かつら及びかつらの製造方法について記載する。
【００１５】
本発明の実施態様１乃至４に係るかつらベースは、
標章、図柄又は文字が表された表示面を有する布部材と、
前記布部材以上のサイズを有する保護ネットと、
ネット状の基布と、を備え、
前記布部材は、前記保護ネット及び前記基布の間に、前記表示面が前記基布に接するように配置されている。
【００１６】
本実施態様では、標章、図柄又は文字が表された表示面を有する布部材を保護ネット及び基布で包含して保護するので、長く使用しても布部材の損傷を少なくすることができ、布部材が装着者の頭皮に接触しないので、布部材が装着の際のつけ心地を害さることがない。
【００１７】
本発明の実施態様２及び４に係るかつらベースは、上記実施態様１において、
前記保護ネットの前記布部材と接する面の反対側に人工皮膚シートが配置されている。
【００１８】
本実施態様では、人工皮膚シートを取り付けることによって、より自然な外観を有することができる。
【００１９】
本発明の実施態様３に係るかつらベースは、上記実施態様２において、
前記保護ネット及び前記人工皮膚シートの間に、更に第２の保護ネットが配置されている。
【００２０】
本実施態様では、布部材が配置される箇所の保護ネットを二枚にすることによって、布部材をより確実に保護することができる。
【００２１】
本発明の実施態様１乃至４に係るかつらは、上記のかつらベースの前記人工皮膚シート又は前記保護ネット側に擬毛が植設されている。
【００２２】
本実施態様では、裏面側に配置された布部材が装着の際のつけ心地を害さず、長く使用しても布部材の損傷が少ないかつらを提供することができる。
【００２３】
本発明の実施態様１に係るかつらの製造方法は、
保護ネット、ネット状の基布、及び標章、図柄又は文字が表された表示面を有し、前記基布及び前記保護ネット以下のサイズを有する布部材を準備する第１の工程と、
前記布部材の前記表示面と反対側の面が前記保護ネットと接するように、前記布部材を前記保護ネットに縫着又は貼着した後、前記基布及び前記保護ネットの外縁部を縫合する第２の工程と、
縫合された前記保護ネット及び前記基布に対して、擬毛を前記保護ネット側から、前記保護ネット及び前記基布の両方、前記保護ネットのみ、並びに前記基布のみの何れかに植設する第３の工程と、を含む。
【００２４】
本実施態様では、保護ネットに布部材を取り付け、その保護ネットを基布に取り付けるので、簡単な工程で、裏面側に配置された布部材が装着の際のつけ心地を害さず、長く使用しても布部材の損傷が少ないかつらを製造することができる。
【００２５】
本発明の実施態様２に係るかつらの製造方法は、
保護ネット、ネット状の基布、標章、図柄又は文字が表された表示面を有し、前記基布及び前記保護ネット以下のサイズを有する布部材、及び前記保護ネット以上のサイズを有する人工皮膚シートを準備する第１の工程と、
前記布部材の前記表示面と反対側の面が前記保護ネットと接するように、前記布部材を前記保護ネットに縫着又は貼着した後、前記保護ネットの前記布部材が取り付けられた面と反対側の面が前記人工皮膚シートと接するように、前記保護ネットを前記人工皮膚シートに縫着又は貼着し、その後、前記布部材の前記表示面が前記基布側を向くように配置した状態で、前記人工皮膚シート及び前記基布の外縁部を縫着する第２の工程と、
縫合された前記人工皮膚シート及び前記基布に対して、擬毛を前記人工皮膚シート側から、前記人工皮膚シート又は前記基布に植設する第３の工程と、を含む。
【００２６】
本実施態様では、人工皮膚シートを保護ネットに取り付けた後、布部材を内側に配置しながら基布に取り付けるので、人工皮膚シートを用いたかつらにおいても、布部材を適切に保護することができ、装着した際のつけ心地をよくすることができる。
【００２７】
本発明の実施態様３に係るかつらの製造方法は、
保護ネット、ネット状の基布、標章、図柄又は文字が表された表示面を有し、前記基布及び前記保護ネット以下のサイズを有する布部材、並びに前記保護ネット以上のサイズを有する人工皮膚シート及び第２の保護ネットを準備する第１の工程と、
前記人工皮膚シート及び前記第２の保護ネットを縫着又は貼着した後、擬毛を前記人工皮膚シート側から前記第２の保護ネットに植設する第２の工程と、
前記布部材の前記表示面と反対側の面が前記保護ネットと接するように、前記布部材を前記保護ネットに縫着又は貼着した後、前記布部材が間に配置されるように、前記保護ネット及び前記基布の外縁部を縫合する第３の工程と、
第２及び第３の工程の後、前記布部材が間に配置されるように、前記人工皮膚シート及び前記第２の保護ネットの接合体の外縁部と、前記基布の外縁部とを縫合する第４の工程と、を含む。
【００２８】
本実施態様では、人工皮膚シートを取り付けた第２の保護ネットに擬毛を植設してから、布部材が間に配置された保護ネット及び基布と合体させるので、布部材をより確実に保護できる上に、擬毛の植設が容易となる。
【００２９】
本発明の実施態様４に係るかつらの製造方法は、
保護ネット、ネット状の基布、標章、図柄又は文字が表された表示面を有し、前記基布及び前記保護ネット以下のサイズを有する布部材、及び前記保護ネット以上のサイズを有する人工皮膚シートを準備する第１の工程と、
前記人工皮膚シート及び前記保護ネットを縫着又は貼着した後、擬毛を前記人工皮膚シート側から前記保護ネットに植設する第２の工程と、
前記布部材の前記表示面が接するように、前記布部材を前記基布に縫着又は貼着する第３の工程と、
第２及び第３の工程の後、前記布部材が間に配置されるように、前記人工皮膚シート及び前記保護ネットの接合体の外縁部と、前記基布の外縁部とを縫合する第４の工程と、を含む。
【００３０】
本実施態様では、人工皮膚シートを取り付けた保護ネットに擬毛を植設してから、布部材が間に配置された保護ネット及び基布と合体させるので、布部材をより確実に保護できる上に、擬毛の植設が容易となる。また、布部材を保護する保護ネットを一枚にすることによって、製造コストを下げ、製造時間を短縮することができる。
【００３１】
次に、本発明の実施態様に係るかつらベース、このかつらベースを用いたかつら及びこのかつらの製造方法について、以下に図面を用いながら詳細に説明する。
【００３２】
（実施態様１に係るかつらの説明）
はじめに、図１及び２を参照しながら、本発明の実施態様１に係るかつらの説明を行う。図１は、本発明の実施態様１に係るかつらの製造方法を示す断面図である。図２は、図１に示す本発明の実施態様１に係るかつらベースの製造方法を示す上面図である。かつらベース２はシート状であって、ここでは一例としてハート形の外形を有する場合を示す。ただし、かつらベース２の大きさ、外形は、用途に応じて任意の大きさ、任意の形状のものを用いることができる。
【００３３】
図１及び２に示すように、本実施態様に係るかつらベース２は、標章、図柄又は文字が表された表示面３ａを有する布部材３と、布部材３以上のサイズを有する保護ネット４と、ネット状の基布５と、を備える。また、かつらベース２は、さらに、かつらベース２の強度を高めるために、基布５の外縁部に縫着される外枠７を備える。
【００３４】
布部材３は、表示面３ａの反対面が保護ネット４に縫着又は貼着される。また、布部材３は、保護ネット４及び基布５の間に、表示面３ａが基布５に接するように配置されている。布部材３は、保護ネット４又は基布５と比較すると厚手の布部材であり、表示面３ａに標章、図柄又は文字が刺繍又は印刷で表されている。本実施態様においては、布部材３自体が蝶々の形状であり、表示面３ａにデフォルメされた蝶々の図柄が刺繍又は印刷で表されている。
【００３５】
保護ネット４は、絹又はポリエステル、ポリアミド等の化学繊維素材を天竺編みなどでネット状にした部材である。保護ネット４は、布部材３の表示面３ａの反対面と縫着又は接着され、その布部材３を内側にして、その外縁部で基布５と縫着される。
【００３６】
基布５は、絹又はポリエステル、ポリアミド等の化学繊維素材を天竺編みなどでネット状にした部材である。また、基布５は、ユーザがかつらを装着した際に、その頭部に直接接する部材であり、肌触りがよくなるように構成される。
【００３７】
本発明の実施態様１に係るかつら１は、かつらベース２の保護ネット４側に擬毛６が植設されている。擬毛６は、人毛から成る一本の毛、又は、アクリル、ポリエステル、ポリアミド系の樹脂などから成るモノフィラメントを黒又はその他の色に例えば原液染めによって着色し紡出した人工毛である。また、擬毛６は、毛髪対６ａ，６ｂとなるように、保護ネット４又は基布５の網目にその中間部が結び付けられる。
【００３８】
（実施態様１に係るかつらの製造方法の説明）
本発明の実施態様１に係るかつらの製造方法は、第１乃至第３の工程から構成される。
【００３９】
第１の工程では、保護ネット４、ネット状の基布５、及び標章、図柄又は文字が表された表示面３ａを有し、基布５及び保護ネット４以下のサイズを有する布部材３を準備する。
【００４０】
第２の工程では、図１（ａ）及び図２（ａ）〜（ｃ）に示すように、布部材３の表示面３ａと反対側の面３ｂが保護ネット４と接するように、布部材３を保護ネット４に縫着又は貼着する。次に、図１（ｂ）及び図２（ｄ）〜（ｇ）に示すように、基布５及び保護ネット４の外縁部を縫合する。そして、外枠７を基布５の外側に縫着し、かつらベース２を完成させる。
【００４１】
第３の工程では、図１（ｃ）に示すように、縫合された保護ネット４及び基布５に対して、擬毛６を保護ネット４側から、保護ネット４及び基布５の両方、保護ネット４のみ、並びに基布５のみの何れかに植設して、かつら１を完成させる。
【００４２】
以上のように、本発明の実施態様１に係るかつら１は、標章、図柄又は文字が表された表示面３ａを有する布部材３を保護ネット４及び基布５で包含して保護するので、裏面の布部材３が装着の際のつけ心地を害さず、長く使用しても布部材の損傷が少なくすることができる。
【００４３】
（実施態様２に係るかつらの説明）
はじめに、図３を参照しながら、本発明の実施態様２に係るかつらの説明を行う。図３は、本発明の実施態様２に係るかつらの製造方法を示す断面図である。かつらベース１２はシート状である。ただし、かつらベース２の大きさ、外形は、用途に応じて任意の大きさ、任意の形状のものを用いることができる。
【００４４】
図３に示すように、本実施態様に係るかつらベース１２は、標章、図柄又は文字が表された表示面１３ａを有する布部材１３と、布部材１３以上のサイズを有する保護ネット１４と、ネット状の基布１５と、を備える。また、かつらベース２は、保護ネット４の布部材３と接する面の反対側に人工皮膚シート１７が配置されている。
【００４５】
布部材１３は、表示面１３ａの反対側を保護ネット１４に縫着又は貼着され、保護ネット１４の外縁部は、布部材１３が反対側になるように人工皮膚シート１７又は保護ネット１４と縫着され、擬毛１６は、人工皮膚シート１７、保護ネット１４又は基布１５に人工皮膚シート１７側から植設される。
【００４６】
人工皮膚シート１７は、基布１５と同色のウレタン樹脂シート等であり、極めて薄く、地肌に似せて同様な色合いに構成され、かつらの装着が視認されにくいように構成される。
【００４７】
本発明の実施態様２に係るかつら１１は、かつらベース１２の人工皮膚シート１７又は保護ネット１４側に擬毛１６が植設されている。
【００４８】
（実施態様２に係るかつらの製造方法の説明）
本発明の実施態様２に係るかつらの製造方法は、第１乃至第３の工程から構成される。
【００４９】
第１の工程では、保護ネット１４、ネット状の基布１５、標章、図柄又は文字が表された表示面１３ａを有し、基布１５及び保護ネット１４以下のサイズを有する布部材１３、及び保護ネット１４以上のサイズを有する人工皮膚シート１７を準備する。
【００５０】
第２の工程では、図３（ａ）に示すように、布部材１３の表示面１３ａと反対側の面が保護ネット１４と接するように、布部材１３を保護ネット１４に縫着又は貼着する。次に、図３（ｂ）に示すように、保護ネット１４の布部材１３が取り付けられた面と反対側の面が人工皮膚シート１７と接するように、保護ネット１４を人工皮膚シート１７に縫着又は貼着する。そして、図３（ｃ）に示すように、布部材１３の表示面１３ａが基布１５側を向くように配置した状態で、人工皮膚シート１７及び基布１５の外縁部を縫着する。
【００５１】
第３の工程では、図３（ｄ）に示すように、縫合された人工皮膚シート１７及び基布１５に対して、擬毛１６を人工皮膚シート１７側から、人工皮膚シート１７又は基布１５に植設する。
【００５２】
以上のように、本発明の実施態様２に係るかつら１１は、人工皮膚シート１７を取り付けることによって、自然な外観を有し、触り心地をよくすることができる。また、人工皮膚シート１７を保護ネット１４に取り付けた後、布部材１３を内側に配置しながら基布１５に取り付けるので、人工皮膚シート１７を用いたかつらにおいても、布部材１３を適切に保護することができ、装着した際のつけ心地をよくすることができる。
【００５３】
（実施態様３に係るかつらの説明）
はじめに、図４を参照しながら、本発明の実施態様３に係るかつらの説明を行う。図４は、本発明の実施態様３に係るかつらの製造方法を示す断面図である。かつらベース２２はシート状であって、ただし、かつらベース２２の大きさ、外形は、用途に応じて任意の大きさ、任意の形状のものを用いることができる。
【００５４】
図４に示すように、本実施態様に係るかつらベース２２は、標章、図柄又は文字が表された表示面２３ａを有する布部材２３と、布部材２３以上のサイズを有する保護ネット２８と、ネット状の基布２５と、を備える。布部材２３は、保護ネット２８及び基布２５の間に、表示面２３ａが基布２５に接するように配置されている。
【００５５】
また、かつらベース２２は、保護ネット２８の布部材２３と接する面の反対側に人工皮膚シート２７が配置されている。また、かつらベース２２は、保護ネット２４及び人工皮膚シート２７の間に、更に第２の保護ネット２４が配置されている。
【００５６】
本発明の実施態様３に係るかつら２１は、かつらベース２２の人工皮膚シート２７又は第２の保護ネット２４側に擬毛２６が植設されている。
【００５７】
詳細に説明すると、人工皮膚シート２７及び第２の保護ネット２４が外縁部で縫着され、人工皮膚シート２７側から第２の保護ネット２４に擬毛２６が植設される。一方で、布部材２３は、保護ネット２８に接着又は縫着され、その後、布部材２３を内側にして外縁部で基布２５に縫着される。最後に、人工皮膚シート２７及び第２の保護ネット２４と、基布２５とを外縁部で縫着して構成される。
【００５８】
（実施態様３に係るかつらの製造方法の説明）
本発明の実施態様３に係るかつらの製造方法は、第１乃至第４の工程から構成される。
【００５９】
第１の工程では、第２の保護ネット２４、ネット状の基布２５、標章、図柄又は文字が表された表示面２３ａを有し、基布２５及び保護ネット２８以下のサイズを有する布部材２３、並びに第２の保護ネット２４以上のサイズを有する人工皮膚シート２７及び保護ネット２８を準備する。
【００６０】
第２の工程では、図４（ａ）に示すように、人工皮膚シート２７及び第２の保護ネット２４を縫着又は貼着した後、擬毛２６を人工皮膚シート２７側から第２の保護ネット２４に植設する。
【００６１】
第３の工程では、図４（ａ）に示すように、布部材２３の表示面２３ａと反対側の面が保護ネット２８と接するように、布部材２３を保護ネット２８に縫着又は貼着した後、布部材２３が間に配置されるように、保護ネット２８及び基布２５の外縁部を縫合する。
【００６２】
第４の工程では、図４（ｂ）に示すように、第２及び第３の工程の後、布部材２３が間に配置されるように、人工皮膚シート２７及び第２の保護ネット２４の接合体の外縁部と、基布２５の外縁部とを縫合する。
【００６３】
以上のように、本発明の実施態様３に係るかつら２１は、人工皮膚シート２７を取り付けた第２の保護ネット２４に擬毛を植設してから、布部材２３が間に配置された保護ネット２８及び基布２５と合体させるので、布部材２３をより確実に保護できる上に、擬毛２６の植設が簡便となり生産工程が簡素化される。また、布部材２３が配置される箇所の保護ネットを二枚にすることによって、布部材２３のより確実に保護することができる。
【００６４】
（実施態様４に係るかつらの説明）
はじめに、図５を参照しながら、本発明の実施態様４に係るかつらの説明を行う。図５は、本発明の実施態様４に係るかつらの製造方法を示す断面図である。ただし、かつらベース３２の大きさ、外形は、用途に応じて任意の大きさ、任意の形状のものを用いることができる。
【００６５】
図４に示すように、本実施態様に係るかつらベース３２は、標章、図柄又は文字が表された表示面３３ａを有する布部材３３と、布部材３３以上のサイズを有する保護ネット３４と、ネット状の基布３５と、を備える。布部材３３は、保護ネット３４及び基布３５の間に、表示面３３ａが基布３５に接するように配置されている。また、かつらベース３２は、保護ネット３４の布部材３３と接する面の反対側に人工皮膚シート３７が配置されている。
【００６６】
本発明の実施態様４に係るかつら３１は、かつらベース３２の人工皮膚シート３７又は保護ネット３４側に擬毛３６が植設されている。
【００６７】
詳細に説明すると、人工皮膚シート３７及び保護ネット３４が外縁部で縫着され、人工皮膚シート３７側から保護ネット３４に擬毛３６が植設される。一方で、布部材３３は、外縁部で基布２５に縫着される。最後に、布部材３３を内側にして、人工皮膚シート３７及び保護ネット３４と、基布３５とを外縁部で縫着して構成される。
【００６８】
（実施態様４に係るかつらの製造方法の説明）
本発明の実施態様４に係るかつらの製造方法は、第１乃至第４の工程から構成される。
【００６９】
第１の工程では、保護ネット３４、ネット状の基布３５、標章、図柄又は文字が表された表示面３３ａを有し、基布３５及び保護ネット３４以下のサイズを有する布部材３３、及び保護ネット３４以上のサイズを有する人工皮膚シート３７を準備する。
【００７０】
第２の工程では、図５（ａ）、（ｂ）に示すように、人工皮膚シート３７及び保護ネット３４を縫着又は貼着した後、この人工皮膚シート３７及び保護ネット３４の接合体に擬毛３６を植設する。人工皮膚シート３７及び保護ネット３４の接合体に擬毛３６を植設する方法を更に詳細に説明すると、はじめに図５（ａ）に示すように、図面下側から保護ネット３４に擬毛３６を植設する。次に、図５（ａ）の点線の矢印に示すように、擬毛３６を人工皮膚シート３７側（図面上側）に引き抜いて、図５（ｂ）に示すように、擬毛３６が人工皮膚シート３７側から伸びた植設状態を得ることができる。
【００７１】
第３の工程では、図５（ｂ）に示すように、布部材３３の表示面３３ａが接するように、布部材３３を基布３５に縫着又は貼着する。
【００７２】
第４の工程では、図５（ｃ）に示すように、第２及び第３の工程の後、布部材３３が間に配置されるように、人工皮膚シート３７及び保護ネット３４の接合体の外縁部と、基布３５の外縁部とを縫合する。また、図５（ｃ）に示すように、必要に応じて、基布３５に擬毛３６を植設する。
【００７３】
以上のように、本発明の実施態様４に係るかつら３１によれば、人工皮膚シートを取り付けた保護ネットに擬毛を植設してから、布部材が間に配置された保護ネット及び基布と合体させるので、布部材をより確実に保護できる上に、擬毛の植設が容易となる。また、布部材を保護する保護ネットを一枚にすることによって、製造コストを下げ、製造時間を短縮することができる。
【００７４】
本発明の実施の態様を説明したが、開示内容は構成の細部において変化してもよく、実施の態様における要素の組合せや順序の変化等は請求された本発明の範囲及び思想を逸脱することなく実現し得るものである。
【符号の説明】
【００７５】
１，１１，２１，３１  かつら
２，１２，２２，３２  かつらベース
３，１３，２３，３３  布部材
３ａ，１３ａ，２３ａ，３３ａ  表示面
３ｂ  反対側の面
４，１４，２４，３４  保護ネット
５，１５，２５，３５  ネット状の基布
６，１６，２６，３６  擬毛
６ａ，ｂ，１６ａ，ｂ，２６ａ，ｂ，３６ａ，ｂ  毛髪対
７  外枠
１７，２７，３７  人工皮膚シート
２８  第２の保護ネット
【図１】
2018087388.tif 000003
【図２】
2018087388.tif 000004
【図３】
2018087388.tif 000005
【図４】
2018087388.tif 000006
【図５】
2018087388.tif 000007
【手続補正書】
【提出日】平成29年9月1日(2017.9.1)
【手続補正１】
【補正対象書類名】特許請求の範囲
【補正対象項目名】全文
【補正方法】変更
【補正の内容】
【特許請求の範囲】
【請求項１】
保護ネット、ネット状の基布、及び標章、図柄又は文字が表された表示面を有し、前記基布及び前記保護ネット以下のサイズを有する布部材を準備する第１の工程と、
前記布部材の前記表示面と反対側の面が前記保護ネットと接するように、前記布部材を前記保護ネットに縫着又は貼着した後、前記基布及び前記保護ネットの外縁部を縫合する第２の工程と、
縫合された前記保護ネット及び前記基布に対して、擬毛を前記保護ネット側から、前記保護ネット及び前記基布の両方、前記保護ネットのみ、並びに前記基布のみの何れかに植設する第３の工程と、を含む、ことを特徴とするかつらの製造方法。
【請求項２】
保護ネット、ネット状の基布、標章、図柄又は文字が表された表示面を有し、前記基布及び前記保護ネット以下のサイズを有する布部材、及び前記保護ネット以上のサイズを有する人工皮膚シートを準備する第１の工程と、
前記布部材の前記表示面と反対側の面が前記保護ネットと接するように、前記布部材を前記保護ネットに縫着又は貼着した後、前記保護ネットの前記布部材が取り付けられた面と反対側の面が前記人工皮膚シートと接するように、前記保護ネットを前記人工皮膚シートに縫着又は貼着し、その後、前記布部材の前記表示面が前記基布側を向くように配置した状態で、前記人工皮膚シート及び前記基布の外縁部を縫着する第２の工程と、
縫合された前記人工皮膚シート及び前記基布に対して、擬毛を前記人工皮膚シート側から、前記人工皮膚シート又は前記基布に植設する第３の工程と、を含む、ことを特徴とするかつらの製造方法。
【請求項３】
保護ネット、ネット状の基布、標章、図柄又は文字が表された表示面を有し、前記基布及び前記保護ネット以下のサイズを有する布部材、並びに前記保護ネット以上のサイズを有する人工皮膚シート及び第２の保護ネットを準備する第１の工程と、
前記人工皮膚シート及び前記第２の保護ネットを縫着又は貼着した後、擬毛を前記人工皮膚シート側から前記第２の保護ネットに植設する第２の工程と、
前記布部材の前記表示面と反対側の面が前記保護ネットと接するように、前記布部材を前記保護ネットに縫着又は貼着した後、前記布部材が間に配置されるように、前記保護ネット及び前記基布の外縁部を縫合する第３の工程と、
第２及び第３の工程の後、前記布部材が間に配置されるように、前記人工皮膚シート及び前記第２の保護ネットの接合体の外縁部と、前記基布の外縁部とを縫合する第４の工程と、を含む、ことを特徴とするかつらの製造方法。
【請求項４】
保護ネット、ネット状の基布、標章、図柄又は文字が表された表示面を有し、前記基布及び前記保護ネット以下のサイズを有する布部材、及び前記保護ネット以上のサイズを有する人工皮膚シートを準備する第１の工程と、
前記人工皮膚シート及び前記保護ネットを縫着又は貼着した後、擬毛を前記人工皮膚シート側から前記保護ネットに植設する第２の工程と、
前記布部材の前記表示面が接するように、前記布部材を前記基布に縫着又は貼着する第３の工程と、
第２及び第３の工程の後、前記布部材が間に配置されるように、前記人工皮膚シート及び前記保護ネットの接合体の外縁部と、前記基布の外縁部とを縫合する第４の工程と、を含む、ことを特徴とするかつらの製造方法。